(57)【要約】      （修正有）【課題】接着テープが不要で、かつ、ガラスに接合すべく押し付けたときに、接着剤がはみ出ることを確実に防止できる、ガラス仮固定用クリップを提供する。【解決手段】このガラス仮固定用クリップ１０は、被固定部材３に形成された開口部に、シール剤を用いてガラス１を固定する際に、開口部の周縁部にガラス１を仮固定させるためのもので、ガラス１に接着剤Ｂを介して接合される接着板部２０と、該接着板部２０の外側面から延出されて、被固定部材３に形成された取付孔５に挿入係止される係止脚部３０とを備え、接着板部２０の接着面には、その周縁に沿って所定深さの枠状凹部２２が形成され、この枠状凹部２２よりも内側の接着面が接着剤塗布部２４をなしている。【選択図】図７
2010014147.tif 000002
【特許請求の範囲】
【請求項１】
被固定部材に形成された開口部に、シール剤を用いてガラスを固定する際に、開口部の周縁部にガラスを仮固定させるための、ガラス仮固定用クリップであって、
前記ガラスに接着剤を介して接合される接着板部と、該接着板部の外側面から延出されて、前記被固定部材に形成された取付孔に挿入係止される係止脚部とを備え、
前記接着板部の接着面には、その周縁に沿って所定深さの枠状凹部が形成され、この枠状凹部よりも内側の接着面が接着剤塗布部をなしていることを特徴とするガラス仮固定用クリップ。
【請求項２】
前記接着板部の前記枠状凹部外周の周壁部は、前記枠状凹部よりも内側の接着剤塗布部よりも高く突出している、請求項１記載のガラス仮固定用クリップ。
【請求項３】
前記接着板部の前記枠状凹部よりも内側の接着剤塗布部には、前記枠状凹部の形状に沿った形状の薄肉部が設けられている請求項１又は２記載のガラス仮固定用クリップ。
【請求項４】
前記薄肉部は、前記接着剤塗布部に設けられた内側凹部によって形成されており、該内側凹部は前記枠状凹部よりも、半径方向に切ったときの凹部断面積が小さく形成されている請求項１〜３のいずれか１つに記載のガラス仮固定用クリップ。
【請求項５】
前記内側凹部は、前記接着剤塗布部の中心から径方向外方に向けて複数設けられている請求項４記載のガラス仮固定用クリップ。
【請求項６】
前記係止脚部は、前記接着板部の外側面に基端を固定された撓み可能な軸部と、この軸部の先端に形成されたフランジ部と、このフランジ部から更に延出された係止脚本体とで構成されている請求項１〜５のいずれか１つに記載のガラス仮固定用クリップ。
【請求項７】
ポリプロピレンで形成されている請求項６記載のガラス仮固定用クリップ。
【発明の詳細な説明】
【技術分野】
【０００１】
本発明は、被固定部材に形成された開口部に、シール剤を用いてガラスを固定する際に、開口部の周縁部にガラスを仮固定させるための、ガラス仮固定用クリップに関する。
【背景技術】
【０００２】
例えば、自動車の本体フレームやドアフレーム等の被固定部材に形成された、窓枠等の開口部に、窓ガラス等のガラスを固定する際には、次のようになされる。すなわち、開口部にガラスをセットした後、開口部の周縁部にシール剤を塗布することにより、シール剤を介して開口部にガラスが固定される。
【０００３】
このとき、シール剤を塗布した後、硬化するまで、ある程度の時間が必要とされる。そのため、シール剤が硬化するまでの間、開口部の周縁部からガラスが位置ずれしないように仮固定するためのクリップが考案されている。
【０００４】
従来のこの種のクリップとして、下記特許文献１には、窓ガラス等の板状部材を車体等の被固定部材に固定するためのクリップにおいて、前記板状部材に接合される基部と該基部から一定の高さの位置に固定された球状の嵌合部とを有するプラスチック製の雄部材と、前記球状嵌合部を受入れるように中空に形成されると共に、被固定部材に取付けられたプラスチック製の雌部材とから構成されたものが開示されている。
【０００５】
そして、上記クリップは、球状部を有するプラスチック製の雄部材の基部が、接着テープ又は接着剤層を介して、窓ガラス等の板状部材の所定位置に固定される。その後、雄部材の球状部を、被固定部材に取付けられた雌部材の中空部に押し込むことにより、中空部に球状部が嵌合して、クリップを介して被固定部材に窓ガラスの板状部材に取付けることができる。
【特許文献１】特開平１０−４４７６４号公報
【発明の開示】
【発明が解決しようとする課題】
【０００６】
上記特許文献１のクリップの基部を、接着テープを介して板状部材に接合させる場合、基部若しくは板状部材の所定位置に接着テープを貼着する必要があるが、この作業は煩雑で手間がかかり、作業性に問題があった。また、接着テープ自体も必要であるので、製造コストが増大するという不都合が生じる。
【０００７】
一方、クリップの基部を、接着剤層を介して板状部材に接合させる際には、基部の接着面に接着剤層を塗布した後、基部を板状部材に押し付けることになるが、そのときに、基部に塗布された接着剤層が押し広げられて、基部外周からはみ出すことがあった。その場合、窓ガラス等の板状部材を被固定部材の開口部に位置決めするための治具や作業者に、はみ出た接着剤層が付着する可能性があり問題となる。特に位置決め用の治具に、はみ出た接着剤層が付着してしまった場合には、治具の再使用が困難になるというデメリットが生じる。
【０００８】
したがって、本発明の目的は、接着テープが不要で、しかも、ガラスに対して接合すべく押し付けたときに、接着剤がはみ出ることを防止できる、ガラス仮固定用クリップを提供することにある。
【課題を解決するための手段】
【０００９】
上記目的を達成するため、本発明の第１は、被固定部材に形成された開口部に、シール剤を用いてガラスを固定する際に、開口部の周縁部にガラスを仮固定させるための、ガラス仮固定用クリップであって、前記ガラスに接着剤を介して接合される接着板部と、該接着板部の外側面から延出されて、前記被固定部材に形成された取付孔に挿入係止される係止脚部とを備え、前記接着板部の接着面には、その周縁に沿って所定深さの枠状凹部が形成され、この枠状凹部よりも内側の接着面が接着剤塗布部をなしていることを特徴とするガラス仮固定用クリップを提供するものである。
【００１０】
上記発明によれば、接着剤塗布部に接着剤を塗布し、接着板部の接着剤塗布部をガラスに押し付けることにより、接着剤が押し広げられつつ周縁に広がって、接着剤を介してガラスにクリップを接合することができる。このとき、ガラスに対するクリップの押し込みにより押し広げられた接着剤が、枠状凹部に溜まると共に、枠状凹部から接着剤が溢れ出そうになっても、枠状凹部外側の周壁部がガラス表面に密着して接着剤が堰き止められるので、接着剤が接着板部の外周からはみ出ることを防止することができる。
【００１１】
上記のようにしてガラスにクリップの接着板部を接合させた状態で、クリップの係止脚部を、被固定部材の取付孔に挿入係止させることにより、クリップを介してガラスを開口部の所定位置に仮固定することができる。その後、開口部外周と、それに嵌め込まれるガラス周縁部との間にシール剤を充填して硬化させることにより、開口部にガラスを固定することができる。
【００１２】
また、開口部にガラスを仮固定する際には、治具によってガラスを位置決めしつつ開口部に支持させるが、前述したように、接着剤が接着板部からはみ出ることが防止されるので、治具や作業者に余分な接着剤が付着する虞れがなく、ガラスの本固定作業を確実に行うことができ、治具の再使用の際に支障をきたすことがない。
【００１３】
また、このクリップでは、ガラスに対して接着剤を介して接合させるようにしたので、接着テープを用いて接合する場合に比べて、接着テープを貼着する手間がないうえ、接着テープ自体が不要となり、製造コストを低減することができる。
【００１４】
本発明の第２は、前記第１の発明において、前記接着板部の前記枠状凹部外周の周壁部は、前記枠状凹部よりも内側の接着剤塗布部よりも高く突出している、ガラス仮固定用クリップを提供するものである。
【００１５】
上記発明によれば、枠状凹部よりも内側の接着剤塗布部をガラスに押し付ける際、該接着剤塗布部よりも高く突出した周壁部が、先にガラスに当接して、ガラス表面に押圧されて密着するので、接着剤のはみ出しをより確実に防止することができる。
【００１６】
本発明の第３は、前記第１又は第２の発明において、前記接着板部の前記枠状凹部よりも内側の接着剤塗布部には、前記枠状凹部の形状に沿った形状の薄肉部が設けられているガラス仮固定用クリップを提供するものである。
【００１７】
上記発明によれば、接着剤塗布部に枠状凹部の形状に沿って肉薄部が設けられているので、接着板部を撓みやすくすることができる。そのため、例えば、ガラスが曲面状をなしていても、それに適合した形状となるように、接着板部を適宜撓み変形させて、ガラスに接着板部を密着状態で接合させることができる。
【００１８】
本発明の第４は、前記第１〜３のいずれか１つの発明において、前記薄肉部は、前記接着剤塗布部に設けられた内側凹部によって形成されており、該内側凹部は前記枠状凹部よりも、半径方向に切ったときの凹部断面積が小さく形成されているガラス仮固定用クリップを提供するものである。
【００１９】
上記発明によれば、接着板部がガラスに押し付けられることにより、押し広げられた接着剤が、内側凹部を通って周方向に沿って流動するので、接着剤をムラなく均一に塗布することができる。
【００２０】
本発明の第５は、前記第４の発明において、前記内側凹部は、前記接着剤塗布部の中心から径方向外方に向けて複数設けられているガラス仮固定用クリップを提供するものである。
【００２１】
上記発明によれば、内側凹部が、接着剤塗布部の中心から径方向外方に向けて複数設けられているので、接着板部をより撓ませやすくすることができ、ガラスに対して接着板部をより密着させた状態で接合させることができる。
【００２２】
本発明の第６は、前記第１〜５のいずれか１つの発明において、前記係止脚部は、前記接着板部の外側面に基端を固定された撓み可能な軸部と、この軸部の先端に形成されたフランジ部と、このフランジ部から更に延出された係止脚本体とで構成されているガラス仮固定用クリップを提供するものである。
【００２３】
上記発明によれば、フランジ部及び係止脚本体とが、撓み可能な軸部により連結されているため、例えば、被固定部材に対して、ガラスが斜めに取付けられる場合に、軸部を撓ませることにより、ガラスに固定される接着板部と、被固定部材に固定されるフランジ部及び係止脚本体との角度を、被固定部材とガラスとの取付け角度に適合するように調整することができる。その結果、被固定部材に対するガラスの取付け角度に対応したクリップを個別に用意する必要がなくなり、クリップの共用化を図ることができ、コストの低減を達成することができる。
【００２４】
本発明の第７は、前記第６の発明において、ポリプロピレンで形成されているガラス仮固定用クリップを提供するものである。
【００２５】
上記発明によれば、クリップがポリプロピレンで形成されているので、軸部をより撓ませやすくすることができると共に、比較的安価に製造することができる。
【発明の効果】
【００２６】
本発明のガラス仮固定用クリップによれば、接着剤塗布部に接着剤を塗布し、接着板部の接着剤塗布部をガラスに押し付けて、押し広げられた接着剤が、枠状凹部に溜まると共に、枠状凹部から接着剤が溢れ出そうになっても、枠状凹部外側の周壁部がガラス表面に密着して接着剤が堰き止められるので、接着剤が接着板部の外周からはみ出ることを確実に防止することができる。
【００２７】
その結果、開口部にガラスを仮固定する際に用いる治具や、作業者に余分な接着剤が付着する虞れがなく、ガラスの本固定作業を確実に行うことができ、更に、接着テープではなく接着剤を介して接合させるようにしたので、接着テープの貼着の手間がなく、接着テープ自体も不要で、製造コストの低減を図れる。
【発明を実施するための最良の形態】
【００２８】
以下、図面を参照して本発明のガラス仮固定用クリップの実施形態について説明する。図１〜８には本発明のガラス仮固定用クリップの一実施形態が示されている。
【００２９】
図３に示すように、このガラス仮固定用クリップ１０（以下、「クリップ１０」という）は、例えば、自動車のフレーム等の被固定部材３に形成された、窓枠等の開口部４に嵌め込まれて、シール剤を介して固定されるガラス１を、シール剤が硬化するまで仮固定するために用いられる。
【００３０】
図７に示すように、このクリップ１０は、ガラス１に接着剤Ｂを介して接合される接着板部２０と、この接着板部２０の外側面から延出されて、被固定部材３に形成された取付孔５に挿入係止される係止脚部３０とを備えている。
【００３１】
まず、接着板部２０について説明すると、図１に示すように、この接着板部２０は、所定厚さの板状、この実施形態では円板状をなし、接着面（ガラス１に押し付けられる面）には、その周縁に沿って所定深さの枠状、この実施形態では環状の凹部２２が形成されている。
【００３２】
そして、接着板部２０の、上記枠状凹部２２の内側の接着面が、接着剤塗布部２４をなしている。この接着剤塗布部２４は、円台状に隆起した形状をなしており、その上面に接着剤Ｂが塗布されるようになっている（図４参照）。
【００３３】
この接着剤塗布部２４には、その周縁に沿って内側凹部２６が設けられている。この内側凹部２６によって、接着剤塗布部２４に薄肉部２５が形成されている（図４参照）。また、図４に示すように、前記内側凹部２６は、接着板部２０を半径方向に切ったときの、凹部断面積で比較して、前記枠状凹部２２よりも断面積が小さくなるように形成されている。この実施形態の内側凹部２６は、接着剤塗布部２４の周縁に沿って環状に形成されている。
【００３４】
上記内側凹部２６は、ガラス１に対して接着板部２０を押し付けたときに、その凹部内周に入り込んだ接着剤Ｂを、周方向に沿って流動させて拡散させる役割をなす。そのため、この内側凹部２６は環状に限らず、接着剤塗布部２４の周縁に沿って所定長さで設けられた形状であればよい。
【００３５】
また、接着板部２０の枠状凹部２２の外側部分は、所定高さで環状に突出した周壁部２８をなしている。図４に示すように、この周壁部２８の高さＨ１は、前記接着剤塗布部２４の高さＨ２よりも高く、周壁部２８の方が接着剤塗布部２４よりも高く突出している。
【００３６】
次に、係止脚部３０について説明すると、図１,２,４に示すように、この係止脚部３０は、接着板部２０の外側面に基端を固定された撓み可能な軸部３５と、この軸部３５の先端に形成されたフランジ部４０（図４参照）と、このフランジ部４０から更に延出された係止脚本体４５とで構成されている。
【００３７】
また、このクリップ１０は、その構成部材である前記係止脚部３０と接着板部２０とが、比較的柔軟な合成樹脂材料で一体成形されている。この実施形態におけるクリップ１０は、ポリプロピレンで形成されている。
【００３８】
また、この軸部３５は、その基端が前記接着板部２０の裏面中心に連結され、先端には円板状のフランジ基部４１が連結されている。フランジ基部４１の外周には、弾性エラストマー等の弾性材料で形成され、斜め下方にスカート状に広がるシールフランジ４３ａを有する、カバー部材４３が装着されている。図４に示すように、この実施形態では、前記フランジ基部４１と、カバー部材４３とが、本発明におけるフランジ部４０をなしている。
【００３９】
一方、図１,２,４,８に示すように、係止脚本体４５は、接着板部２０の裏面中央から延出した一対の柱部４６,４６と、この柱部４６,４６の中間部を連結する環状の連結部４８と、柱部４６,４６の外周に配置された弾性片４７（図２参照）とを有している。弾性片４７は、一対の柱部４６,４６の外側面に配置され、空隙を介して撓み可能とされた一対の弾性片４７ａ,４７ａと、これに直交して配置された、もう一対の弾性片４７ｂ,４７ｂとで構成されている。各弾性片４７ａ,４７ｂは、その先端が柱部４６又は環状の連結部４８に連結され、基端が接着板部２０の裏面側に連結されている。また、各弾性片４７ａ,４７ｂの基端側外周には、段状の係止段部４９がそれぞれ形成されている。
【００４０】
この実施形態では上記構造の係止脚部３０を採用したが、これに限定されるものではなく、碇足状の一対の係止片を設けた構造等であってもよく、被固定部材３の取付孔５に係止可能であればよい。
【００４１】
次に上記構成からなる本発明のクリップ１０の使用方法について、図３〜８を参照して説明する。
【００４２】
まず、図４に示すように、クリップ１０の接着剤塗布部２４の上面に、接着剤Ｂを塗布する。その状態で、ガラス１の所定位置にクリップ１０を整合させて、接着剤塗布部２４をガラス１に向けて押し付ける。その結果、図５に示すように、ガラス表面によって接着剤Ｂが押圧されて、同接着剤Ｂが押し広げられつつ、接着剤塗布部２４の周縁に広がる。
【００４３】
このとき、接着剤塗布部２４には、内側凹部２６が設けられているので、ガラス１により押圧された接着剤Ｂが、内側凹部２６に入り込むと共に、同内側凹部２６を通って周方向に流動して接着剤Ｂが効率よく拡散されて、接着剤塗布部２４の上面に接着剤Ｂをムラなく均一に塗布することができる。特にこの実施形態では、内側凹部２６が環状をなしているので、接着剤塗布部２４の全周にスムーズに拡散させることが可能となる。
【００４４】
更に、クリップ１０をガラス１に押し付けると、押し広げられた接着剤Ｂが接着剤塗布部２４の外周から溢れ出る。このとき、本発明のクリップ１０においては、接着剤塗布部２４の外周に、枠状凹部２２が設けられているので、接着剤塗布部２４から溢れ出た接着剤Ｂが枠状凹部２２に溜まり、接着剤Ｂがはみ出るのを防止することができる（図５参照）。
【００４５】
その後、更にクリップ１０をガラス１に押し付けると、接着剤塗布部２４よりも高く突出した周壁部２８が、先にガラス表面に当接する。その状態で、接着剤塗布部２４をガラス１に更に押し付けると、接着剤塗布部２４よりも高い周壁部２８がガラス表面に押圧されて、図６に示すように、接着板部２０の底部がやや撓み、周壁部２８がガラス１に圧接されて密着した状態となる。また、接着剤塗布部２４には、枠状凹部２２に沿って薄肉部２５が設けられているので、接着板部２０が撓みやすくなっており、例えばガラス１に凹凸等があっても接着板部２０を確実に密接させることができる。その結果、枠状凹部２２に溜まった接着剤Ｂが、枠状凹部２２から溢れ出そうになっても、周壁部２８によって、接着剤Ｂが接着板部２０の外周からはみ出ることを確実に防止することができる。
【００４６】
上記作業を繰り返して、ガラス１の所定位置に複数のクリップ１０を取付ける。その後、図３に示すように、開口部４の周縁部４ａに設けられた複数の取付孔５に対して、各クリップ１０の係止脚部３０を整合させて、ガラス１を開口部４に向けて押し込んでいく。なお、この作業は、図示しない治具によってガラス１を位置決めしながら行われるようになっている。
【００４７】
その結果、係止脚部３０の複数の弾性片４７ａ,４７ｂが撓みつつ取付孔５内に挿入されて、各係止段部４９が取付孔５の裏側周縁に係合すると共に、フランジ部４０のシールフランジ４３ａが、撓み変形して取付孔５の表側周縁に弾性的に当接し、図７に示すように、取付孔５にクリップ１０が固定される。その結果、クリップ１０を介して、ガラス１を開口部４の所定位置に仮固定することができる。その後、開口部４の外周と、それに嵌め込まれるガラス１の周縁部との間に、図示しないシール剤を充填して、これを硬化させることにより、開口部４にガラス１を固定することができる。
【００４８】
上述したように、開口部４にガラス１を仮固定する際には、図示しない治具によってガラス１を位置決めしつつ開口部４に支持させるようになっている。このとき、このクリップ１０においては、接着剤Ｂが接着板部２０からはみ出ることが防止されているので、治具や作業者に余分な接着剤が付着する虞れがなく、ガラス１の本固定作業を確実に行うことができ、治具の再使用の際に支障をきたすことがない。
【００４９】
また、このクリップ１０では、ガラス１に対して接着剤Ｂを介して接合させるようにしたので、接着テープを用いて接合する場合に比べて、接着テープを貼着する手間がないうえ、接着テープ自体が不要となり、製造コストを低減することができる。
【００５０】
ところで、ガラス１は、被固定部材３に対して斜めに取付けられることがある。この場合、従来では、被固定部材３に対するガラス１の取付け角度に対応した、クリップを用いる必要があった。
【００５１】
これに対して、このクリップ１０においては、撓み可能な軸部３５を有しているので、図８に示すように、軸部３５を撓ませることにより、ガラス１に固定される接着板部２０と、被固定部材３に固定されるフランジ部４０及び係止脚本体４５との角度を、被固定部材３とガラス１との取付け角度に適合するように調整することができる。その結果、被固定部材３に対するガラス１の取付け角度に対応したクリップを個別に用意する必要がなくなり、クリップ１０の共用化を図ることができ、コストの低減を達成することができる。
【００５２】
更に、このクリップ１０は、比較的柔軟な合成樹脂材料であるポリプロピレンで形成されているので、軸部３５をより撓ませやすくすることができると共に、比較的安価に製造することができる。
【００５３】
図９,１０には、本発明によるガラス仮固定用クリップの他の実施形態が示されている。なお、前記実施形態と実質的に同一部分には同符号を付してその説明を省略する。
【００５４】
この実施形態におけるガラス仮固定用クリップ１０ａ（以下、「クリップ１０ａ」という）は、図９に示すように、接着板部２０の接着剤塗布部２４に、同接着剤塗布部２４の中心から径方向外方に向けて複数の内側凹部２６ａが設けられている。この実施形態では、環状をなした２つの内側凹部２６ａ,２６ａが、接着剤塗布部２４に同心状に設けられている。また、各内側凹部２６ａ,２６ａは、前記実施形態の内側凹部２６よりも、接着剤板部２４の上面から深く、すなわち、枠状凹部２２と同等の深さに形成されている。
【００５５】
そして、この実施形態のクリップ１０ａにおいては、接着剤塗布部２４に複数の内側凹部２６ａを設けたことにより、薄肉部２５の範囲が増大することとなるので、前記実施形態のクリップ１０と比べて、接着板部２０をより撓ませやすくすることができる。そのため、図１０に示すように、ガラス１が曲面状をなしていても、それに適合した形状となるように、接着板部２０を適宜撓み変形させて、ガラス１に接着板部２０を密着状態で接合させることができる。
【図面の簡単な説明】
【００５６】
【図１】本発明のガラス仮固定用クリップの一実施形態を示す断面斜視図である。
【図２】同ガラス仮固定用クリップを、斜め下方から見たときの斜視図である。
【図３】同ガラス仮固定用クリップの使用状態を示す説明図である。
【図４】同ガラス仮固定用クリップの接着板部に接着剤を塗布した状態を示す断面図である。
【図５】同ガラス仮固定用クリップを、ガラスに押し付けた状態を示す断面図である。
【図６】同ガラス仮固定用クリップを、ガラスに更に押し付けた状態を示す断面図である。
【図７】同ガラス仮固定用クリップを用いて、被固定部材にガラスを仮固定した状態を示す断面図である。
【図８】ガラスが被固定部材に対して所定角度傾いた状態で仮固定された状態を示す説明である。
【図９】本発明のガラス仮固定用クリップの他の実施形態を示す断面図である。
【図１０】同ガラス仮固定用クリップを、曲面状のガラスに接合した状態を示す断面図である。
【符号の説明】
【００５７】
１  ガラス
３  被固定部材
４  開口部
４ａ  周縁部
５  取付孔
１０,１０ａ  ガラス仮固定用クリップ（クリップ）
２０  接着板部
２２  枠状凹部
２４  接着剤塗布部
２５  薄肉部
２６,２６ａ  内側凹部
３０  係止脚部
３５  軸部
４０  フランジ部
４５  係止脚本体
Ｂ  接着剤
【図１】
2010014147.tif 000003
【図２】
2010014147.tif 000004
【図３】
2010014147.tif 000005
【図４】
2010014147.tif 000006
【図５】
2010014147.tif 000007
【図６】
2010014147.tif 000008
【図７】
2010014147.tif 000009
【図８】
2010014147.tif 000010
【図９】
2010014147.tif 000011
【図１０】
2010014147.tif 000012